(57)【要約】【課題】簡単な構成により、美観を損なうことなく、自立型の薄型テレビ、自立型の薄型ディスプレイの転倒を防止可能な機構を備えたテレビ台を提案すること。【解決手段】自立型の薄型テレビ１のテレビ台１０は、門型の前側枠体１１と門型の後側枠体１２の間に、薄型テレビ１の支持板４を載せる凹部２４を備え、この前面を規定している前側水平枠板１５には、支持板４の先端部４ａを差し込み可能な差し込み溝２５が形成されており、凹部２４の底面を規定している底板２３には、支持板４のねじ穴５に位置決め可能な垂直貫通穴２６が形成されている。薄型テレビ１の支持板４を凹部２４に上方から入れ、その先端部４ａを差し込み溝２５に差し込んだ状態で支持板４を底板２３に載せる。次に、固定ねじ６、蝶ナット７を用いて、支持板４を底板２３に固定する。差し込み溝２５との係合、および、固定ねじ６による固定によって、テレビ台１０の転倒を確実に防止できる。【選択図】図１
2009089200.tif 000002
【特許請求の範囲】
【請求項１】
ディスプレイ本体と、このディスプレイ本体の下端部からほぼ垂直に下方に延びている支持脚と、この支持脚の下端に取り付けた水平な支持板とを備えている自立型のディスプレイを載せるディスプレイ台であって、
左右の前側支柱および、これらの上端の間に架け渡した前側水平枠から構成した門型の前側枠体と、
左右の後側支柱および、これらの上端の間に架け渡した後側水平枠から構成した門型の後側枠体と、
前記前側水平枠および後側水平枠の間に、前後方向に向けて一定の間隔で平行に架け渡した左側連結枠および右側連結枠と、
前記前側水平枠、前記後側水平枠、前記左側連結枠および前記右側連結枠の間に形成される矩形の開口部の底を封鎖して、ディスプレイ設置用の矩形の凹部を形成している底板と、
前記凹部の前側の側面を規定している前記前側水平枠の部分を前方に掘り込むことにより形成した、前記ディスプレイの前記支持板の先端部を挿入するための差し込み溝とを有していることを特徴とするディスプレイ台。
【請求項２】
請求項１に記載のディスプレイ台において、
前記底板には、前記ディスプレイの前記支持板の後側の部位に形成されているねじ穴を位置決め可能な垂直貫通穴が形成されており、
当該底板に載せた前記支持板を、前記ねじ穴および前記垂直貫通穴に通した固定金具によって前記底板に固定可能であることを特徴とするディスプレイ台。
【請求項３】
請求項１に記載のディスプレイ台において、
前記凹部の上端開口における前側部分を覆う隠し板を備えていることを特徴とするディスプレイ台。
【請求項４】
請求項１に記載のディスプレイ台において、
前記底板の下方の位置において、前記前側枠体および前記後側枠体の間に水平に架け渡されている棚板を有していることを特徴とするディスプレイ台。
【請求項５】
請求項１に記載のディスプレイ台において、
前記後側枠体の後側の側面には、配線溝が形成されていることを特徴とするディスプレイ台。
【請求項６】
請求項１に記載のディスプレイ台において、
前記後側枠体の後側の側面には、配線溝を備えた配線用レールが取り付けられていることを特徴とするディスプレイ台。
【請求項７】
請求項５または６に記載のディスプレイ台において、
前記配線溝は、左右の前記後側支柱に沿って延びる左右の垂直溝と、前記後側水平枠に沿って延びる水平溝とを備え、この水平溝の両端が左右の前記垂直溝に繋がっていることを特徴とするディスプレイ台。
【請求項８】
請求項７に記載のディスプレイ台において、
一方の前記後側支柱に沿って延びる前記垂直溝の下端部には横方に延びる横溝が形成され、この横溝は、当該後側支柱の外側の側面側に開口していることを特徴とするディスプレイ台。
【請求項９】
請求項７に記載のディスプレイ台において、
前記後側水平枠に沿って延びる前記水平溝におけるその長さ方向の中央部には上下方向に延びる縦溝が形成されており、
この縦溝の上端は前記後側水平枠の上側の側面側に開口し、当該縦溝の下端は前記後側水平枠の下側の側面側に開口していることを特徴とするディスプレイ台。
【請求項１０】
請求項９に記載のディスプレイ台において、
前記縦溝には、当該縦溝を通って上下方向に引き出される配線を固定するための配線固定具が取り付けられていることを特徴とするディスプレイ台。
【請求項１１】
請求項９に記載のディスプレイ台において、
前記縦溝の下方に配置された配線収納ボックスあるいは配線収納袋を有していることを特徴とするディスプレイ台。
【発明の詳細な説明】
【技術分野】
【０００１】
本発明は、大型の液晶ディスプレイ、プラズマディスプレイなどの薄型ディスプレイ、または、このような薄型ディスプレイを備えた薄型テレビを載せるためのディスプレイ台に関するものである。
【背景技術】
【０００２】
近年においては、大型の液晶ディスプレイ、プラズマディスプレイなどを備えた薄型テレビが普及している。薄型テレビは、一般に、大型の薄型ディスプレイ本体と、この下端中央部分から下方に延びている支持脚と、支持脚の下端に取り付けた水平な支持板とを備えた自立型構造となっている。この構造の薄型テレビを載せるために市販されているテレビ台は、ブラウン管テレビ用のテレビ台と同様に、複数段の棚あるいは収納部を備え、その天板の上に薄型テレビを載せるようになっている。
【０００３】
ここで、自立型の薄型テレビの場合には重心位置が高く、転倒しやすいという問題点がある。薄型テレビの転倒防止具としては下記の特許文献１に開示のものがある。この特許文献１では、薄型テレビの背面部と、これに対峙している壁面との間にワイヤを架け渡して、薄型テレビの転倒を防止している。
【特許文献１】実用新案登録第３１２０４２８号公報
【発明の開示】
【発明が解決しようとする課題】
【０００４】
しかしながら、ワイヤで薄型テレビを壁に連結する転倒防止機構では、壁側に薄型テレビが転倒すると壁面に衝突して薄型テレビあるいは壁が損傷するという弊害がある。また、薄型テレビを任意の位置に移動できないという制約がある。さらには、ワイヤを取り付けるために壁面に傷が付くなどの弊害がある。これに加えて、ワイヤ、連結金具が露出しているので、壁面、薄型テレビの美観を損なうという弊害がある。
【０００５】
本発明の課題は、このような点に鑑みて、簡単な構成により、美観を損なうことなく、自立型の薄型テレビ、自立型の薄型ディスプレイの転倒を防止可能な機構を備えたディスプレイ台を提案することにある。
【課題を解決するための手段】
【０００６】
上記の課題を解決するために、本発明は、ディスプレイ本体と、ディスプレイ本体の下端部からほぼ垂直に下方に延びている支持脚と、この支持脚の下端に取り付けた水平な支持板とを備えている自立型のディスプレイを載せるディスプレイ台であって、
左右の前側支柱および、これらの上端の間に架け渡した前側水平枠から構成した門型の前側枠体と、
左右の後側支柱および、これらの上端の間に架け渡した後側水平枠から構成した門型の後側枠体と、
前記前側水平枠および後側水平枠の間に、前後方向に向けて一定の間隔で平行に架け渡した左側連結枠および右側連結枠と、
前記前側水平枠、前記後側水平枠、前記左側連結枠および前記右側連結枠の間に形成される矩形の開口部の底を封鎖して、ディスプレイ設置用の矩形の凹部を形成している底板と、
前記凹部の前側の側面を規定している前記前側水平枠の部分を前方に掘り込むことにより形成した、前記ディスプレイの前記支持板の先端部を挿入するための差し込み溝とを有していることを特徴としている。
【０００７】
本発明のディスプレイ台にディスプレイを載せる際には、ディスプレイの支持板を凹部に入れ、当該支持板の先端部を差し込み溝に挿入し、この状態で支持板を底板に載せる。この状態では、支持板の先端部が差し込み溝に差し込まれているので、ディスプレイが前後に傾いた場合には、支持板の先端部が差し込み溝の上下の面に当たり、ディスプレイがそれ以上傾くことがない。よって、ディスプレイの転倒が防止される。
【０００８】
ここで、前記底板に、前記ディスプレイの前記支持板の後側の部位に形成されているねじ穴を位置決め可能な垂直貫通穴を形成しておくことが望ましい。底板に載せた前記支持板を、前記ねじ穴および前記垂直貫通穴に通した固定金具によって前記底板に固定することにより、ディスプレイの転倒を確実に防止できる。
【０００９】
また、前記凹部の上端開口における前側部分を覆う隠し板を備えていることが望ましい。隠し板を取り付けることにより、ディスプレイの支持板が前方および上方から見えなくなるので、美観が向上する。
【００１０】
さらに、前記底板の下方の位置において、前記前側枠体および前記後側枠体の間に水平に架け渡されている棚板を有していることが望ましい。棚板の上に各種のオーディオ機器などを載せることができるので便利である。棚板は１段でもよいが複数段としてもよい。
【００１１】
次に、本発明のディスプレイ台では、前記後側枠体の後側の側面に、配線溝が形成されていることを特徴としている。後側枠体に直接に配線溝を形成する代わりに、前記後側枠体の後側の側面に、配線溝を備えた配線用レールあるいは配線用アタッチメントを取り付けても良い。配線溝に沿って電源コード、通信コードなどを引き回すことにより、これららを見えないように隠すことができ、また、これらが垂れ下がった状態で引き回されることを防止できる。よって、美観が向上する。
【００１２】
ここで、前記配線溝として、左右の前記後側支柱に沿って延びる左右の垂直溝と、前記後側水平枠に沿って延びる水平溝とを形成し、水平溝の両端に左右の前記垂直溝をつなげておけばよい。
【００１３】
また、一方の前記後側支柱に沿って延びる前記垂直溝の下端部に横方に延びる横溝を形成し、この横溝を、当該後側支柱の外側の側面側に開口させておくことが望ましい。住宅の壁などに密着させた状態で後側支柱が配置されている場合に、この横溝を通して、電源コードなどを横方から配線溝内に引き込むことができる。
【００１４】
さらに、前記後側水平枠に沿って延びる前記水平溝におけるその長さ方向の中央部に上下方向に延びる縦溝を形成し、この縦溝の上端を前記後側水平枠の上側の側面側に開口させ、当該縦溝の下端を前記後側水平枠の下側の側面側に開口させることができる。この縦溝を通して、水平溝に沿って引き込んだ配線をディスプレイの側に引き出すことができ、ディスプレイの側から当該縦溝を通して水平溝内に配線を引き込むことができる。また、棚板などに載せてあるオーディオ機器の配線を縦溝を通して水平溝に引き込むことができる。
【００１５】
ここで、前記縦溝には、当該縦溝を通って上下方向に引き出される配線を固定するための配線固定具を取り付けておけば、配線のばらけ、溝からの配線のはみ出し等を防止でき、また、配線が溝から垂れ下がり、見えてしまうという弊害も防止できる。
【００１６】
また、前記縦溝の下方に、配線収納ボックスあるいは配線収納袋を配置しておくことが望ましい。配線における余分な長さの部分を配線収納ボックスあるいは配線収納袋に入れておけば、配線溝に沿って引き回した配線の余分な長さの部分が垂れ下がるなどの弊害を防止でき、配線溝に配線を引き回す作業も容易になる。
【発明の効果】
【００１７】
本発明のディスプレイ台では、ディスプレイの支持板の先端部を差し込み溝に差し込んだ状態で底板の上に載せるようにしている。支持板と差し込み溝の係合によって、ディスプレイの前後の傾きが阻止され、ディスプレイの転倒が防止される。また、ディスプレイ台の背面側には配線溝が配置されているので、配線が露出して美観を損ねることもない。
【発明を実施するための最良の形態】
【００１８】
以下に、図面を参照して、本発明を適用したディスプレイ台の実施の形態を説明する。
【００１９】
図１は本発明を適用した薄型テレビを載せるためのテレビ台を後側から見た場合の斜視図である。図２はテレビ台の薄型テレビを載せた状態を説明するための断面図である。
【００２０】
まず、本実施の形態に係るテレビ台に載せる薄型テレビ１は、横長の薄型ディスプレイ本体２と、この薄型ディスプレイ本体２の下端部中央部からほぼ垂直に下方に延びている支持脚３と、この支持脚３の下端に取り付けた水平な支持板４とを備えている自立型のものである。支持板４における支持脚３の後側の部位の中心には、上下方向に貫通するねじ穴５が形成されており、固定ねじ６および蝶ナット７によって、当該支持板４を他の部材に固定して、薄型テレビ１の転倒を防止できるようになっている。支持板４の固定は、ねじ穴５を利用してベルトなどの部材を用いてもよい。
【００２１】
テレビ台１０は、前後に一定の間隔で平行に配置されている門型の前側枠体１１および門型の後側枠体１２を有している。前側枠体１１は、左右の前側支柱１３、１４と、これらの上端部の間に水平に架け渡した前側水平枠１５から構成されている。同様に、後側枠体１２は、左右の後側支柱１６、１７と、これらの上端部の間に水平に架け渡した後側水平枠１８から構成されている。
【００２２】
前側水平枠１５および後側水平枠１８の間には、それらの長さ方向の中央部分において、左側連結枠２１および右側連結枠２２が前後方向に向けて一定の間隔で平行に架け渡されている。これにより、前側水平枠１５、後側水平枠１８、左側連結枠２１および右側連結枠２２によって形成されている矩形の開口部の底は、これらの部材に水平に架け渡した矩形の底板２３によって封鎖されている。これによって、薄型テレビ設置用の浅い矩形の凹部２４が形成されている。
【００２３】
凹部２４の前側の側面を規定している前側水平枠の部分、すなわち、左側連結枠２１および右側連結枠２２の間の部分には、前方に所定の深さに掘り込むことにより形成した先細りの断面形状をした差し込み溝２５が形成されている。
【００２４】
ここで、凹部２４は、薄型テレビ１の支持板４を載せることができる大きさのものであり、差し込み溝２５は、支持板４の先端部４ａを差し込むことができる横幅および厚さのものである。
【００２５】
また、底板２３における後側の部位には垂直貫通穴２６が形成されている。薄型テレビ１の支持板４を底板２３の上に載せて、支持板４のねじ穴６を垂直貫通穴２６に位置決めできるようになっている。
【００２６】
次に、底板２３の下方には、前側枠体１１および後側枠体１２の間に、棚板２７が水平に架け渡されている。棚板２７の上に各種のオーディオ機器、飾り用の置物などを載せることができるので便利である。また、棚板２７によってテレビ台１０の強度、剛性も確保できる。なお、棚板は１段でもよいが複数段とすることも可能である。
【００２７】
この構成のテレビ台１０に薄型テレビ１を載せる際には、図２に示すように、薄型テレビ１の支持板４を上方から凹部２４に入れ、支持板４の先端部４ａを差し込み溝２５に挿入し、この状態で支持板４を底板２３に載せる。この状態では、支持板４の先端部４ａが差し込み溝２５に差し込まれているので、薄型テレビ１が前後に傾いた場合には、支持板４の先端部４ａが差し込み溝２５の上下の面に当たり、薄型テレビ１がそれ以上傾くことがない。よって、薄型テレビ１の転倒を防止できる。
【００２８】
また、薄型テレビ１の支持板４を底板２３に載せた後に、支持板４のねじ穴５を底板２３の垂直貫通穴２６に位置決めし、蝶ねじ６を下側から通して蝶ナット７を締め付ける。これにより、支持板４が底板２３に固定され、薄型テレビ１の転倒を防止できる。
【００２９】
ここで、薄型テレビ１をテレビ台１０に載せた後に、矩形の隠し板３１で支持板４を隠すようにしてもよい。例えば、薄型テレビ１の支持脚３の前側の凹部２４の上端開口を覆うことのできる矩形の隠し板３１を、左側連結枠２１および右側連結枠２２の間に水平に架け渡し、ねじなどによって固定する。あるいは、マグネットによって着脱可能な状態で固定してもよい。このようにすると、前方および上方から薄型テレビ１の支持板４の部分が見えないので見た目が良い。また、凹部２４に塵などが溜まらないので掃除も楽になるという利点がある。
【００３０】
（配線構造）
次に、テレビ台１０には、その後側枠体１２の後側の側面に、配線溝が形成されている。後側枠体に直接に配線溝を形成する代わりに、前記後側枠体の後側の側面に、配線溝を備えた配線用レールあるいは配線用アタッチメントを取り付けても良い。配線溝に沿って電源コード、通信コードなどを引き回すことにより、これらを見えないように隠すことができ、また、これらが垂れ下がった状態で引き回されることを防止できる。よって、美観が向上する。
【００３１】
本例では、配線溝として、左右の後側支柱１６、１７に沿って延びる矩形断面の左右の垂直溝４１、４２と、後側水平枠１８に沿って延びる矩形断面の水平溝４３とが形成されている。水平溝４３の両端が左右の垂直溝４１、４２の上端に繋がっている。また、後側支柱１７に沿って延びている垂直溝４２の下端部には横方に直角に延びる横溝４４が形成されている。この横溝４４は、後側支柱１７の外側の側面に開口している。住宅の壁などに密着させた状態で後側支柱１７が配置されている場合に、この横溝４４を通して、電源コードなどを横方から配線溝内に引き込むことができる。
【００３２】
さらに、後側水平枠１８に沿って延びる水平溝４３におけるその長さ方向の中央部には、上下方向に延びる縦溝４５が形成されている。この縦溝４５の上端は後側水平枠１８の上側の側面に開口しており、縦溝４５の下端は後側水平枠１８の下側の側面に開口している。この縦溝４５を通して、水平溝４３に沿って引き込んだ配線を薄型テレビ１の側に引き出すことができ、薄型テレビ１の側から当該縦溝４５を通して水平溝４３内に配線を引き込むことができる。また、棚板２７などに載せてあるオーディオ機器の配線を縦溝４５を通して水平溝４３に引き込むことができる。
【００３３】
この縦溝４５には、当該縦溝４５を通って上下方向に引き出される配線を固定するための配線固定具４６が取り付けられている。配線固定具４６によって、配線のばらけ、溝からの配線のはみ出し等を防止できる。また、配線が溝から垂れ下がり、見えてしまうという弊害も防止できる。
【００３４】
さらに、縦溝４５の下方には、後側水平枠１８に配線収納袋４７が取り付けられている。配線における余分な長さの部分を配線収納袋４７に入れておけば、配線溝に沿って引き回した配線の余分な長さの部分が垂れ下がるなどの弊害を防止でき、配線溝に配線を引き回す作業も容易になる。配線収納袋４７の代わりに、板材などから形成した収納ボックスを取り付けておいてもよい。
【００３５】
次に、後側枠体１２に直接に配線溝を形成する代わりに、後側枠体１２の後側の側面に、配線溝を備えた配線用レールあるいは配線用アタッチメントを取り付けても良い。図３には、金属板を折り曲げ加工して製造可能な配線用レールの各種の例を示してある。
【図面の簡単な説明】
【００３６】
【図１】本発明を適用したテレビ台を後側から見た場合の斜視図である。
【図２】（ａ）は、図１のテレビ台に薄型テレビを載せた状態を示す断面図であり、（ｂ）は薄型テレビ台の斜視図である。
【図３】配線用レールあるいはアタッチメントの例を示す説明図である。
【符号の説明】
【００３７】
１    薄型テレビ
２    薄型ディスプレイ本体
３    支持脚
４    支持板
４ａ  先端部
５    ねじ穴
６    固定ねじ
７    蝶ナット
１０  テレビ台
１１  前側枠体
１２  後側枠体
１３、１４  前側支柱
１５  前側水平枠
１６、１７  後側支柱
１８  後側水平枠
２１  左側連結枠
２２  右側連結枠
２３  底板
２４  凹部
２５  差し込み溝
２６  垂直貫通穴
２７  棚板
３１  隠し板
４１、４２  垂直溝
４３  水平溝
４４  横溝
４５  縦溝
４６  配線固定具
４７  配線収納袋
【図１】
2009089200.tif 000003
【図２】
2009089200.tif 000004
【図３】
2009089200.tif 000005